(57)【要約】【課題】電子マネーで購入した電子チケットの売却を可能にする手段を提供する。【解決手段】携帯端末２と、売買サーバ１とを接続した電子チケット売買システムであって、売買サーバ１は、電子チケットのチケット種別に対応させて買取単価を格納する買取単価テーブル１３と、携帯端末２から売却する電子チケットのチケット情報と数量を添付した売却チケット情報を受信する手段と、受信した売却チケット情報のチケット種別を基に買取単価テーブル１３から当該売却電子チケットの買取単価を抽出し、その買取価格を携帯端末２へ送信する手段と、携帯端末２から売却申請を受信したときに、携帯端末２に買取価格に相当する電子マネーをチャージする手段とを備え、携帯端末２は、売却チケット情報および数量を、売買サーバ１へ送信する手段と、売買サーバ１から受信した買取価格を表示する手段と、売却申請を売買サーバ１へ送信する手段とを備える。【選択図】        図２
2008108002.tif 000002
【特許請求の範囲】
【請求項１】
携帯端末と、売買サーバとを接続した電子チケット売買システムであって、
前記売買サーバは、
電子チケットのチケット種別に対応させて買取単価を格納する買取単価格納手段と、
前記携帯端末から、売却する電子チケットのチケット種別を含むチケット情報と数量を添付した売却チケット情報を受信する手段と、
該受信した売却チケット情報のチケット種別を基に、前記買取単価格納手段から当該売却電子チケットの買取単価を抽出する手段と、
該抽出した当該売却電子チケットの買取単価に前記数量を乗じた買取価格を、前記携帯端末へ送信する手段と、
前記携帯端末から、売却申請を受信する手段と、
該売却申請を受信したときに、前記携帯端末に前記買取価格に相当する電子マネーをチャージする手段と、を備え
前記携帯端末は、
前記売却チケット情報および数量の入力を受付ける手段と、
該受付けた売却チケット情報および数量を、前記売買サーバへ送信する手段と、
前記売買サーバから、前記買取価格を受信する手段と、
該受信した買取価格を表示する手段と、
前記売却申請の入力を受付ける手段と、
該受付けた売却申請を前記売買サーバへ送信する手段と、を備えることを特徴とする電子チケット売買システム。
【請求項２】
請求項１において、
前記売買サーバは、
電子チケットの在庫情報を格納する在庫情報格納手段と、
前記売却申請を受信したときに、前記在庫情報格納手段の電子チケットの在庫情報を更新する手段と、
前記携帯端末から、購入する電子チケットのキーワードを受信する手段と、
該受信したキーワードを基に、前記在庫情報格納手段から該当する電子チケットの在庫情報を抽出する手段と、
該抽出した在庫情報を基に、在庫チケット一覧表を作成する手段と、
該作成した在庫チケット一覧表を、前記携帯端末へ送信する手段と、
前記携帯端末から、購入申請を受信する手段と、
該購入申請を受信したときに、前記在庫情報格納手段の電子チケットの在庫情報を更新する手段と、
該購入申請を受信したときに、購入された電子チケットのチケット情報を前記携帯端末へ送信する手段と、を備え、
前記携帯端末は、
前記キーワードの入力を受付ける手段と、
該受付けたキーワードを、前記売買サーバへ送信する手段と、
前記売買サーバから、前記在庫チケット一覧表を受信する手段と、
該受信したチケット情報一覧表を表示する手段と、
該表示したチケット情報一覧表から、購入する電子チケットの選択入力を受付ける手段と、
該選択入力を受付けたときに、選択された電子チケットの購入申請を前記売買サーバへ送信する手段と、
前記売買サーバから、購入した電子チケットのチケット情報を受信する手段と、
該受信したチケット情報を格納する手段と、を備えることを特徴とする電子チケット売買システム。
【請求項３】
請求項２において、
前記売買サーバは、
前記在庫情報格納手段の在庫情報を基に、在庫一覧表を生成する手段を備えることを特徴とする電子チケット売買システム。
【請求項４】
携帯端末と接続した売買サーバであって、
電子チケットのチケット種別に対応させて買取単価を格納する買取単価格納手段と、
前記携帯端末から、売却する電子チケットのチケット種別を含むチケット情報と数量を添付した売却チケット情報を受信する手段と、
該受信した売却チケット情報のチケット種別を基に、前記買取単価格納手段から当該売却電子チケットの買取単価を抽出する手段と、
該抽出した当該売却電子チケットの買取単価に前記数量を乗じた買取価格を、前記携帯端末へ送信する手段と、
前記携帯端末から、売却申請を受信する手段と、
該売却申請を受信したときに、前記携帯端末に前記買取価格に相当する電子マネーをチャージする手段と、を備えることを特徴とする売買サーバ。
【請求項５】
請求項４において、
電子チケットの在庫情報を格納する在庫情報格納手段と、
前記売却申請を受信したときに、前記在庫情報格納手段の電子チケットの在庫情報を更新する手段と、
前記携帯端末から、購入する電子チケットのキーワードを受信する手段と、
該受信したキーワードを基に、前記在庫情報格納手段から該当する電子チケットの在庫情報を抽出する手段と、
該抽出した在庫情報を基に、在庫チケット一覧表を作成する手段と、
該作成した在庫チケット一覧表を、前記携帯端末へ送信する手段と、
前記携帯端末から、購入申請を受信する手段と、
該購入申請を受信したときに、前記在庫情報格納手段の電子チケットの在庫情報を更新する手段と、
該購入申請を受信したときに、購入された電子チケットのチケット情報を前記携帯端末へ送信する手段と、を備えることを特徴とする売買サーバ。
【請求項６】
請求項５において、
前記在庫情報格納手段の在庫情報を基に、在庫一覧表を生成する手段を備えることを特徴とする売買サーバ。
【発明の詳細な説明】
【技術分野】
【０００１】
本発明は、電子チケット販売システム等を利用して購入した電子チケットを売買するための電子チケット売買システムおよびその売買サーバに関する。
【背景技術】
【０００２】
従来の電子チケット販売システムでは、鉄道の乗車券等の電子チケットを購入する場合に、利用者は携帯端末を用いて電子チケットセンタに接続し、その選択画面から目的地を選択すると、電子チケットセンタから目的地への交通機関の電子チケット購入受付情報が送信され、利用者が携帯端末に表示された電子チケット購入受付情報を確認してその電子チケットの購入操作を行うと、その購入費用は電子決済により処理され、当該電子チケットのチケット情報は、電子チケットセンタから携帯端末へ送信されて格納され、利用者は携帯端末に格納されたチケット情報により改札ゲートを通過している（例えば、特許文献１参照。）。
【特許文献１】特開２００３−３０２９０号公報（主に第４頁段落００１８−第５頁段落００２６、第２図）
【発明の開示】
【発明が解決しようとする課題】
【０００３】
しかしながら、上述した従来の技術においては、電子マネーで購入した電子チケットのチケット情報を携帯端末に格納して用いるようにしているため、携帯端末を所持する利用者以外の第３者がその電子チケットを使用することが不可能であり、購入した電子チケットを売却して、電子マネーに換金することができないという問題がある。
本発明は、上記の問題点を解決するためになされたもので、電子マネーで購入した電子チケットの売却を可能にする手段を提供することを目的とする。
【課題を解決するための手段】
【０００４】
本発明は、上記課題を解決するために、携帯端末と、売買サーバとを接続した電子チケット売買システムであって、前記売買サーバは、電子チケットのチケット種別に対応させて買取単価を格納する買取単価格納手段と、前記携帯端末から、売却する電子チケットのチケット種別を含むチケット情報と数量を添付した売却チケット情報を受信する手段と、該受信した売却チケット情報のチケット種別を基に、前記買取単価格納手段から当該売却電子チケットの買取単価を抽出する手段と、該抽出した当該売却電子チケットの買取単価に前記数量を乗じた買取価格を、前記携帯端末へ送信する手段と、前記携帯端末から、売却申請を受信する手段と、該売却申請を受信したときに、前記携帯端末に前記買取価格に相当する電子マネーをチャージする手段とを備え、前記携帯端末は、前記売却チケット情報および数量の入力を受付ける手段と、該受付けた売却チケット情報および数量を、前記売買サーバへ送信する手段と、前記売買サーバから、前記買取価格を受信する手段と、該受信した買取価格を表示する手段と、前記売却申請の入力を受付ける手段と、該受付けた売却申請を前記売買サーバへ送信する手段と、を備えることを特徴とする。
【発明の効果】
【０００５】
これにより、本発明は、利用者が電子チケットを電子マネーに容易に換金することができると共に、その電子マネーを即座に使用することができるという効果が得られる。
【発明を実施するための最良の形態】
【０００６】
以下に、図面を参照して本発明による電子チケット売買システムの実施例について説明する。
【実施例】
【０００７】
図１は実施例のシステム構成を示すブロック図である。
本実施例の電子チケット売買システムは、図１に示すように、本システムを運用する運用会社の管理センタに設置された売買サーバ１と、利用者が所持する携帯端末としての携帯電話２と、電子チケットを発行するチケット発行会社に設置されたコンピュータである電子チケット管理装置３とをインターネット等の通信ネットワーク４で無線または有線により接続し、売買サーバ１と電子マネーの決済処理を行う決済機関に設置されたコンピュータである電子マネー管理装置６とを専用回線等の通信回線７を介して接続して構成される。
【０００８】
本実施例の携帯電話２は、エディ等の電子マネーに対応する機能を備えている。
また、電子チケット管理装置３は、その利用者が所持する携帯電話２を識別するための携帯ＩＤを所有者ＩＤとし、これに対応させて利用者に販売した発行済の電子チケットのチケット情報を格納した発行済チケット情報データベース３ａを備えている。
更に、電子マネー管理装置６は、携帯電話２の携帯ＩＤ、および運用会社を識別するために予め登録された会社ＩＤを顧客ＩＤとし、それぞれの顧客ＩＤに対応させて利用者および運用会社の電子マネーの残高を格納した顧客マネーデータベース６ａを備えており、利用者や運用会社等の顧客の電子マネーを管理する。
【０００９】
本実施例では、携帯ＩＤとして、携帯電話２の製造番号またはそれに準ずる機器固有値が用いられる。
図１において、１１は売買サーバ１のサーバ制御部であり、売買サーバ１内の各部を制御して、予め利用者が、電子チケット販売システム等を利用してチケット発行会社から購入した鉄道の乗車券や、航空機の搭乗券、コンサートやスポーツ等のイベントの入場券等の電子チケットの売買処理等を実行する他、通信ネットワーク４と有線により接続して携帯端末２と通信する機能、および電子マネー管理装置６と通信する機能等を有している。
【００１０】
１２はサーバ記憶部であり、サーバ制御部１１が実行するプログラムやそれに用いる各種のデータおよびサーバ制御部１１による処理結果等が格納される。
本実施例のサーバ記憶部１２には、運用会社の会社ＩＤが予め格納される他、電子チケットのチケット種別（乗車券、搭乗券、ジャズコンサートの入場券、サッカーの入場券等）および等級（普通、グリーン、ファースト、エコノミー、Ｓ席、Ａ席等）に対応させてその買取単価が記された買取単価テーブル１３が予め格納され、買取った電子チケットの販売単価をチケット種別および等級別に設定した図示しない販売単価テーブルが予め格納されている。
【００１１】
１４は在庫情報データベースであり、運用会社が買い取った電子チケット毎に、そのチケット種別、等級、特記事項（座席番号、演奏者名、対戦相手等）等のチケット情報、および在庫数量、設定された販売単価等からなる在庫情報が格納されている。
１５は在庫一覧表生成部であり、サーバ制御部１１が後述する売買処理実行プログラムとの並行処理により実行する、在庫情報データベース１４に格納された在庫情報を基に、在庫されている電子チケットのチケット種別および等級別にその販売単価や在庫数量を記した在庫一覧表を生成する機能を有する一覧表生成プログラムとサーバ制御部１１とにより形成される売買サーバ１のハードウェアとしての機能手段の一つである。
【００１２】
２１は携帯電話２の携帯制御部であり、携帯電話２内の各部を制御して無線による通信を行う機能を有する通信部２２を介した通常の電話通信処理やホームページ閲覧処理、メール通信処理等を実行する他、通信部２２を介して通信ネットワーク４と接続して売買サーバ１と通信する機能等を有している。
２３は携帯記憶部であり、携帯制御部２１が実行するプログラムやそれに用いる各種のデータおよび携帯制御部２１による処理結果等が格納される。
【００１３】
本実施例の携帯記憶部２３には、その携帯電話２の携帯ＩＤが予め格納される他、利用者が購入した電子チケットのチケット情報を格納するためのチケット情報格納エリア２４が確保されている。
２６は表示部であり、ＬＣＤ等の表示画面を備えており、利用者からの入力を受付けるための各種の入力画面や選択画面、売買サーバ１から送信された各種の画面等を表示する機能を有している。
【００１４】
２７は入力部であり、テンキーや十字キー等を備えており、利用者が売却チケット情報等の入力や選択入力等を行うために使用する。
上記の売買サーバ１のサーバ記憶部１２には、利用者の携帯電話２からの売却チケット情報を受信して、その電子チケットを買取る買取処理を行う機能を有するアプリケーションプログラム、利用者の携帯電話２からの購入希望の電子チケットのキーワードとしてのチケット種別を受信して買取った電子チケットの在庫チケット一覧表を送信し、利用者が選択した電子チケットを販売する販売処理を行う機能を有するアプリケーションプログラム等を備えた売買処理実行プログラムが予め格納されており、サーバ制御部１１が実行する売買処理実行プログラムのステップにより本実施例の売買サーバ１のハードウェアとしての各機能手段が形成される。
【００１５】
上記の携帯電話２の携帯記憶部２３には、通常の電話通信等を実行する電話通信処理プログラムに、売買サーバ１と通信して利用者の希望する電子チケットの購入を行う機能を有するアプリケーションプログラムや、購入済みの電子チケットの売却を行う機能を有するアプリケーションプログラム等を追加した携帯業務実行プログラムが予め格納されており、携帯制御部２１と携帯業務実行プログラムの各ステップにより本実施例の携帯電話２のハードウェアとしての各機能手段が形成される。
【００１６】
なお、本実施例の携帯電話２のチケット情報格納エリア２４には、利用者が予め購入した電子チケットのチケット情報が格納されている。
また、電子マネー管理装置６の顧客マネーデータベース６ａには、利用者が携帯電話２等を用いて予めチャージした電子マネー、および運用会社が予納した電子マネーが残高として格納されている。
【００１７】
以下に、図２に示す流れ図を用い、ステップに従って本実施例の電子チケット売却処理について説明する。
なお、ステップ名は携帯電話２の場合をＳで、売買サーバ１の場合をＳＡで表す。
Ｓ１、利用者は、購入済みの電子チケットを売却して電子マネーへの換金を希望する場合に、携帯電話２の表示部２６にそのメニュー画面を表示し、入力部２７を用いてメニュー画面からチケット売却を選択する。
【００１８】
この選択入力を受付けた携帯電話２の携帯制御部２１は、携帯業務実行プログラムにより、携帯記憶部２３のチケット情報格納エリア２４に格納されている全てのチケット情報を読出し、読出したそれぞれのチケット情報のチケット種別および等級、数量に、選択番号を付した保有チケット一覧表および売却する数量の入力欄を表示した売却チケット選択画面を表示部２６の画面に表示する。
【００１９】
利用者は表示された保有チケット一覧表から売却を希望する電子チケットを選択し、入力部２７により当該選択番号を入力すると共に、売却する数量をその入力欄に入力する。
Ｓ２、この入力を受付けた携帯制御部２１は、入力された選択番号を基に選択されたチケット情報を特定し、売却希望の旨に特定したチケット情報のチケット種別と等級等および入力された数量を添付した売却チケット情報を、通信部２２により通信ネットワーク４を介して売買サーバ１へ送信する。
【００２０】
ＳＡ１、一方、売買サーバ１のサーバ制御部１１は、売買処理実行プログラムにより、携帯電話２からの売却チケット情報の着信を待って待機しており、携帯電話２からの売却チケット情報を受信したときにステップＳＡ２へ移行する。
ＳＡ２、売却チケット情報を受信したサーバ制御部１１は、受信した売却チケット情報のチケット種別および等級を基に、サーバ記憶部１２の買取単価テーブル１３から当該電子チケットの買取単価を抽出する。
【００２１】
ＳＡ３、買取単価を抽出したサーバ制御部１１は、買取単価および買取単価に売却チケット情報の数量を乗じた買取価格を通信ネットワーク４を介して送信元の携帯電話２へ送信する。
Ｓ３、通信部２２によって買取単価および買取価格を受信した携帯制御部２１は、受信した買取単価および買取価格並びに同意の旨の指示入力を行うための指示ボタンの種類等を表示部２６の画面に表示する。
【００２２】
Ｓ４、利用者は表示された買取単価および買取価格を確認し、入力部２７によって同意旨の指示入力を行う。
Ｓ５、この指示入力を受付けた携帯制御部２１は、電話機億部２３に格納されている携帯ＩＤを読出し、送信された買取価格に同意する旨に、携帯ＩＤおよび売却する電子チケットの全てのチケット情報、つまりチケット種別、等級、特記事項等を添付した売却申請を通信ネットワーク４を介して売買サーバ１へ送信する。
【００２３】
ＳＡ４、サーバ制御部１１は、携帯電話２からの売却申請の着信を待って待機しており、携帯電話２からの売却申請を受信したときにステップＳＡ５へ移行する。
ＳＡ５、売却申請を受信したサーバ制御部１１は、サーバ記憶部１２に格納されている会社ＩＤを読出し、これに売却申請に添付された携帯ＩＤおよび買取価格を添付したチャージ処理依頼を通信回線７を介して電子マネー管理装置６へ送信する。
【００２４】
これを受信した電子マネー管理装置６は、添付されている会社ＩＤおよび携帯ＩＤをそれぞれ顧客ＩＤとして認識し、これを基に顧客マネーデータベース６ａを検索して該当する運用会社および携帯電話２を特定し、運用会社の残高から買取価格に相当する電子マネーを引落し、これを携帯電話２の残高に加えてそれぞれの残高を更新し、携帯電話２への電子マネーのチャージが終了した旨のチャージ終了通知を通信回線７を介して送信元の売買サーバ１へ送信する。
【００２５】
これにより、携帯電話２を所持する利用者は、買取価格に相当する電子マネーの使用が可能になる。
ＳＡ６、前記ステップＳＡ５と並行してサーバ制御部１１は、買取った電子チケットの所有者の書替えを依頼する旨に、売却申請に添付された携帯ＩＤおよびチケット情報、並びにサーバ記憶部１２から読出した会社ＩＤを添付したチケット所有者書替依頼を、そのチケット種別により特定した電子チケット管理装置３へ通信ネットワーク４を介して送信する。
【００２６】
これを受信した電子チケット管理装置３は、添付されている携帯ＩＤを所有者ＩＤとして認識し、これとチケット情報のチケット種別、等級を基に、発行済チケット情報データベース３ａを検索して該当するチケット情報を特定し、特記事項等の一致を確認して所有者ＩＤをチケット所有者書替依頼に添付された会社ＩＤに書替え、電子チケットの所有者の書換えが終了した旨の書替終了通知を通信ネットワーク４を介して送信元の売買サーバ１へ送信する。
【００２７】
これにより、携帯電話２を所持する利用者は、売却した電子チケットを利用することが不可能になる。
ＳＡ７、前記ステップＳＡ５、ＳＡ６と並行してサーバ制御部１１は、売却申請に添付されたチケット情報に特記事項が含まれていない場合は、そのチケット情報のチケット種別、等級を基に在庫情報を検索し、該当するチケット種別および等級が存在する場合はその在庫数量に買取った数量を加えて在庫情報データベース１４の在庫情報を更新する。
【００２８】
売却申請に添付されたチケット情報に特記事項が含まれておらず、かつ該当するチケット種別および等級が存在しない場合、並びに売却申請に添付されたチケット情報に特記事項が含まれている場合は、サーバ記憶部１２の図示しない販売単価テーブルを参照してその販売単価を設定し、その在庫数量を買取った数量とし、設定した販売単価とともに在庫情報データベース１４に格納して在庫情報を更新する。
【００２９】
ＳＡ８、携帯電話２への電子マネーのチャージ、買取った電子チケットの所有者の書換え、および在庫情報の更新を終えたサーバ制御部１１は、電子マネーのチャージが終了した旨と電子チケットの所有者の書替が終了した旨の文言等、および携帯電話２のチケット情報格納エリア２４に格納されている買取った電子チケットのチケット情報を消去するためのチケット情報消去指令を添付した売却終了通知を通信ネットワーク４を介して送信元の携帯電話２へ送信する。
【００３０】
Ｓ５、売却終了通知を受信した携帯電話２の携帯制御部２１は、添付された文言を表示部２６の画面に表示すると共に、受信したチケット情報消去指令に従ってチケット情報格納エリア２４に格納されている当該電子チケットのチケット情報を消去する。
このようにして、本実施例の電子チケット売却処理が行われる。
以下に、図３に示す流れ図を用い、ステップに従って本実施例の電子チケット購入処理について説明する。
【００３１】
なお、ステップ名は携帯電話２の場合をＳＢで、売買サーバ１の場合をＳＣで表す。
ＳＢ１、利用者は、格安の電子チケットの購入を希望する場合に、携帯電話２の表示部２６にそのメニュー画面を表示し、入力部２７を用いてメニュー画面からチケット購入を選択する。
この選択入力を受付けた携帯電話２の携帯制御部２１は、携帯業務実行プログラムにより、購入を希望する電子チケットのキーワードとしてのチケット種別の入力欄を表示したチケット購入入力画面を表示部２６の画面に表示する。
【００３２】
利用者は表示されたチケット種別の入力欄に、入力部２７により購入を希望するチケット種別（サッカーの入場券等）を入力する。
ＳＢ２、この入力を受付けた携帯制御部２１は、購入希望の旨に、入力されたチケット種別を添付した購入依頼を、通信部２２により通信ネットワーク４を介して売買サーバ１へ送信する。
【００３３】
ＳＣ１、一方、売買サーバ１のサーバ制御部１１は、売買処理実行プログラムにより、携帯電話２からの購入依頼の着信を待って待機しており、携帯電話２からの購入依頼を受信したときにステップＳＣ２へ移行する。
ＳＣ２、購入依頼を受信したサーバ制御部１１は、利用者の要求に沿った電子チケットの在庫チケット一覧表を作成するために、受信した購入依頼のチケット種別を基に、在庫情報データベース１４を検索して該当する全ての在庫情報を抽出する。
【００３４】
ＳＣ３、在庫情報を抽出したサーバ制御部１１は、抽出したそれぞれの在庫情報のチケット種別、等級、特記事項および販売単価、在庫数量に、選択番号を付した在庫チケット一覧表を作成し、これを通信ネットワーク４を介して送信元の携帯電話２へ送信する。
ＳＢ３、通信部２２によって在庫チケット一覧表を受信した携帯制御部２１は、受信した在庫チケット一覧表と、購入する数量の入力欄とを表示した購入チケット選択画面を表示部２６の画面に表示する。
【００３５】
ＳＢ４、利用者は表示された在庫チケット一覧表から購入を希望する電子チケットを選択し、入力部２７によりその選択番号を入力すると共に、購入する数量をその入力欄に入力する。
ＳＢ５、この入力を受付けた携帯制御部２１は、電話機億部２３に格納されている携帯ＩＤを読出し、選択された電子チケットを購入する旨に、その電子チケットの選択番号、入力された数量、および携帯ＩＤを添付した購入申請を通信ネットワーク４を介して売買サーバ１へ送信する。
【００３６】
ＳＣ４、サーバ制御部１１は、携帯電話２からの購入申請の着信を待って待機しており、携帯電話２からの購入申請を受信したときにステップＳＣ５へ移行する。
ＳＣ５、購入申請を受信したサーバ制御部１１は、サーバ記憶部１２に格納されている会社ＩＤを読出すと共に、購入申請に添付された選択番号により販売する電子チケットを特定し、その販売単価に購入申請の数量を乗じて購入価格を算出する。
【００３７】
そして、売却申請に添付された携帯ＩＤ、読出した会社ＩＤおよび購入価格を添付した支払い処理依頼を通信回線７を介して電子マネー管理装置６へ送信する。
これを受信した電子マネー管理装置６は、添付されている携帯ＩＤおよび会社ＩＤをそれぞれ顧客ＩＤとして認識し、これを基に顧客マネーデータベース６ａを検索して該当する携帯電話２および運用会社を特定し、携帯電話２の残高から購入価格に相当する電子マネーを引落し、これを運用会社の残高に加えてそれぞれの残高を更新し、電子マネーによる支払いが終了した旨の支払終了通知を通信回線７を介して送信元の売買サーバ１へ送信する。
【００３８】
これにより、携帯電話２を所持する利用者は、購入価格に相当する電子マネーの使用が不可能になる。
ＳＣ６、前記ステップＳＣ５と並行してサーバ制御部１１は、販売する電子チケットの所有者の書替えを依頼する旨に、サーバ記憶部１２から読出した会社ＩＤ、販売したチケット情報、および購入申請に添付された携帯ＩＤを添付したチケット所有者書替依頼を、そのチケット種別により特定した電子チケット管理装置３へ通信ネットワーク４を介して送信する。
【００３９】
これを受信した電子チケット管理装置３は、添付されている会社ＩＤを所有者ＩＤとして認識し、これとチケット情報のチケット種別、等級を基に、発行済チケット情報データベース３ａを検索して該当するチケット情報を特定し、特記事項等の一致を確認して所有者ＩＤをチケット所有者書替依頼に添付された携帯ＩＤに書替え、電子チケットの所有者の書換えが終了した旨の書替終了通知を通信ネットワーク４を介して送信元の売買サーバ１へ送信する。
【００４０】
これにより、携帯電話２を所持する利用者は、売却した電子チケットを利用することが可能になる。
ＳＣ７、前記ステップＳＣ５、ＳＣ６と並行してサーバ制御部１１は、購入申請に添付された選択番号により特定した電子チケットのチケット種別および等級を基に在庫情報を検索し、該当するチケット種別および等級の在庫数量から販売した数量を減じて在庫情報データベース１４の在庫情報を更新する。
【００４１】
この場合に、在庫数量が「０」となった在庫情報は消去される。
ＳＣ８、販売した電子チケットの電子マネーによる支払、その所有者の書換え、および在庫情報の更新を終えたサーバ制御部１１は、電子マネーによる支払が終了した旨と電子チケットの所有者の書替が終了した旨の文言等、および販売したチケット情報を添付した販売終了通知を通信ネットワーク４を介して送信元の携帯電話２へ送信する。
【００４２】
ＳＢ５、販売終了通知を受信した携帯電話２の携帯制御部２１は、添付された文言を表示部２６の画面に表示すると共に、受信したチケット情報をチケット情報格納エリア２４に格納する。
このようにして、本実施例の電子チケット購入処理が行われる。
なお、上記ステップＳＢ１においては、チケット購入入力画面は携帯制御部２１が生成して表示するとして説明したが、携帯電話２から売買サーバ１へアクセスしてチケット購入入力画面をダウンロードするようにしてもよい。
【００４３】
上記のようにして、電子チケットの売買処理を実行している間に、これと並行して売買サーバ１のサーバ制御部１１は、一覧表生成プログラムを用いた在庫一覧表生成部１５により、在庫情報データベース１４に格納されている在庫情報を基に、在庫されている電子チケットのチケット種別および等級別にその販売単価や在庫数量を記した在庫一覧表を生成し、この在庫一覧表をリアルタイムで更新しながら通信ネットワーク４を介して図示しないコンビニエンスストア等のマルチメディア端末やポータルサイト等に送信して、その初期画面等に表示する。
【００４４】
上記のように、本実施例の電子チケットの売却処理においては、売買サーバ１が、利用者からの売却申請を受信したときに、その買取価格に相当する電子マネーを利用者の携帯電話２にチャージするので、利用者は電子チケットを電子マネーに換金することが可能になり、その電子マネーを即座に使用することが可能になる。
また、本実施例の電子チケットの購入処理においては、売買サーバ１が、利用者からの購入申請を受信したときに、その購入価格に相当する電子マネーの支払を受け、販売した電子チケットのチケット情報を送信して利用者の携帯電話２に格納するので、利用者は購入した電子チケットを即座に利用することが可能になると共に、チケット現品の郵送や指定場所等での受渡しを行う必要がなくなる。
【００４５】
更に、在庫情報を基に生成した在庫一覧表をリアルタイムで更新しながらマルチメディア端末やポータルサイト等に表示するので、買取った電子チケットの需要を喚起することが可能になると共に、各種のサービスとの融合を図ることができる。
以上説明したように、本実施例では、携帯電話と売買サーバとを通信ネットワークを介して接続し、売買サーバが、携帯電話からの売却チケット情報を受信したときに、その売却電子チケットの買取価格を送信元の携帯電話へ送信し、携帯電話からの売却申請を受信したときに、買取価格に相当する電子マネーを携帯端末にチャージするようにしたことによって、利用者は電子チケットを電子マネーに容易に換金することができと共に、その電子マネーを即座に使用することができる。
【００４６】
また、売買サーバが、売却申請を受信したときに、在庫情報データベースの在庫情報を更新し、携帯電話からの購入する電子チケットのキーワードを受信したときに、そのキーワードを基に在庫チケット一覧表を作成し、この在庫チケット一覧表から選択された電子チケットのチケット情報を携帯電話へ送信して格納するようにしたことによって、利用者は購入した電子チケットを即座に利用することができると共に、チケット現品の郵送や指定場所等での受渡しを不要にして電子チケット購入の効率化を図ることができる。
【００４７】
なお、上記実施例においては、携帯端末は携帯電話であるとして説明したが、携帯端末は前記に限らず、電子システム手帳やパーソナル通信機、携帯型情報機器等であってもよい。要は通信ネットワークに接続でき、電子マネーに対応する機能を備えている携帯端末であればどうようなものであってもよい。
また、上記実施例においては、売買サーバが在庫情報データベースや在庫一覧表生成部を備えるとして説明したが、これらの機能を分散させて複数のコンピュータで構成するようにしてもよい。
【００４８】
例えば、在庫情報データベース等を備えたデータサーバと、このデータサーバに接続してリアルタイムに在庫一覧表を生成し、これをマルチメディア端末やポータルサイト等へ配信する配信サーバと、売買サーバの他の機能を実行する運用サーバ等とで売買サーバと同様の機能を有するコンピュータ群を構成すればよい。このようにすれば、本発明の効果を有する電子チケット売買システムを早期に実現することができる。
【図面の簡単な説明】
【００４９】
【図１】実施例のシステム構成を示すブロック図
【図２】実施例の電子チケット売却処理を示す流れ図
【図３】実施例の電子チケット購入処理を示す流れ図
【符号の説明】
【００５０】
１    売買サーバ
２    携帯電話
３    電子チケット管理装置
３ａ  発行済チケット情報データベース
４    通信ネットワーク
６    電子マネー管理装置
６ａ  顧客マネーデータベース
７    通信回線
１１  サーバ制御部
１２  サーバ記憶部
１３  買取単価テーブル
１４  在庫情報データベース
１５  在庫一覧表生成部
２１  携帯制御部
２２  通信部
２３  携帯記憶部
２４  チケット情報格納エリア
２６  表示部
２７  入力部
【図１】
2008108002.tif 000003
【図２】
2008108002.tif 000004
【図３】
2008108002.tif 000005